(57)【特許請求の範囲】
【請求項１】
映像を記録媒体に録画する録画部と、
テレビ放送を受信する受信部と、
前記録画部が前記受信部により受信されたテレビ放送の映像を録画しているか否かに基づいて、該受信部が録画のために受信するテレビ放送のチャンネルと異なるチャンネルを選局できるか否かを判定する判定部と、
テレビ放送を受信する受信手段が内蔵又は外付けされた外部の表示装置との間で命令を含む情報を送受信する送受信部と、
該送受信部が前記外部の表示装置に命令を送信することにより、該外部の表示装置が表示する映像の入力ソースを前記受信部及び受信手段の間で切り替える切替部とを備え、
該切替部は、前記判定部が選局できないと判定した場合、前記入力ソースを前記受信手段に切り替えるようにしてある録画装置であって、
前記外部の表示装置が表示するテレビ放送に係る選局情報を受け付ける受付部と、
該受付部が受け付けた選局情報に対応するテレビ放送の映像の表示命令を前記送受信部にて前記外部の表示装置へ送信する命令送信部と、
前記受信部が受信するテレビ放送から電子番組表を抽出する抽出部と、
該抽出部が抽出した電子番組表に基づいて、前記受付部が受け付けた選局情報に対応するテレビ放送の番組終了時間を抽出する番組終了抽出部と、
該番組終了抽出部が抽出した前記番組終了時間になった場合、前記外部の表示装置が表示する映像に係るコンテンツが他のコンテンツに切り替わると判定するコンテンツ切替判定部とを備え、
前記切替部は、前記判定部が選局できると判定し、かつ前記コンテンツ切替判定部が他のコンテンツに切り替わると判定した場合、前記入力ソースを前記受信部に切り替えるようにしてある
ことを特徴とする録画装置。
【請求項２】
前記受付部が受け付けた選局情報に対応して前記受信部が受信するテレビ放送からコマーシャル放送の開始又は終了を検出する検出部を備え、
前記コンテンツ切替判定部は、前記検出部がコマーシャル放送の開始又は終了を検出した場合、他のコンテンツに切り替わると判定するようにしてある
ことを特徴とする請求項１に記載の録画装置。
【請求項３】
前記受信部が受信するテレビ放送の映像を前記録画部が予約録画するための時間情報が含まれた録画予約情報を受け付ける予約受付部を備え、
前記切替部は、前記予約受付部が受け付けた録画予約情報に所定時間より短い時間間隔で間欠的に繰り返される録画予約群が含まれる場合、前記録画部が該録画予約群のうち最後の録画予約に対応する予約録画を終了したとき、前記入力ソースを前記受信部に切り替えるようにしてある
ことを特徴とする請求項１又は請求項２に記載の録画装置。
【請求項４】
前記送受信部は、前記受信手段が受信するテレビ放送に係る番組の視聴を予約するための時間情報が含まれた視聴予約情報を、前記外部の表示装置から取得するようにしてあり、
前記送受信部が取得した視聴予約情報に基づいて、視聴予約されたテレビ放送に係る番組が終了したか否かを判定する視聴予約判定部を備え、
前記切替部は、前記判定部が選局できると判定し、かつ前記視聴予約判定部により視聴予約されたテレビ放送に係る番組が終了したと判定された場合、前記入力ソースを前記受信部に切り替えるようにしてある
ことを特徴とする請求項１から請求項３までのいずれか一項に記載の録画装置。
【請求項５】
前記送受信部が前記外部の表示装置に対して前記受信手段の制御について問い合わせた結果に基づいて、該受信手段が受信するテレビ放送のチャンネルを選局できるか否かを判定する選局判定部を備え、
前記送受信部は、前記判定部が選局できないと判定し、かつ前記選局判定部が選局できないと判定した場合、選局に関する通知情報を前記外部の表示装置に送信するようにしてある
ことを特徴とする請求項１から請求項４までのいずれか一項に記載の録画装置。
【請求項６】
前記切替部は、前記判定部が選局できると判定する場合及び前記選局判定部が選局できると判定する場合のうち、より早期に選局使用可能なチューナ判定結果に基づいて、前記入力ソースを前記受信部及び受信手段の間で切り替えるか否かを決定するようにしてある
ことを特徴とする請求項５に記載の録画装置。
【請求項７】
テレビ放送を受信する第二受信部と、
該第二受信部が受信するテレビ放送の映像を記録媒体に録画する第二録画部と、
該第二録画部が録画した映像を再生する再生部とを備え、
前記第二受信部は、受信したテレビ放送の映像が前記第二録画部による録画にのみ使用されるようにしてあり、
前記第二録画部は、前記判定部が選局できないと判定し、かつ前記選局判定部が選局できないと判定した場合、前記第二受信部が受信するテレビ放送の映像に係る録画を開始するようにしてあり、
前記再生部は、前記第二録画部が録画を終了する前又は後に、該第二録画部が録画した映像の再生を該映像の先頭から開始するようにしてある
ことを特徴とする請求項５又は請求項６に記載の録画装置。
【請求項８】
前記受信部が受信するテレビ放送の映像を前記録画部が予約録画するための時間情報が含まれた録画予約情報を受け付ける予約受付部を備え、
前記判定部は、前記予約受付部が受け付けた録画予約情報に係る予約録画開始の所定時間前になった場合、前記受信部が前記録画予約情報に基づいて受信するテレビ放送のチャンネルと異なるチャンネルを選局できないと判定するようにしてある
ことを特徴とする請求項１から請求項７までのいずれか一項に記載の録画装置。
【請求項９】
テレビ放送を受信する内蔵又は外付けされた受信手段及び
該受信手段が受信したテレビ放送の映像を表示する表示部
を備えるテレビ受信装置と、
映像を記録媒体に録画する録画部、
テレビ放送を受信する受信部、
前記録画部が前記受信部により受信されたテレビ放送の映像を録画しているか否かに基づいて、該受信部が録画のために受信するテレビ放送のチャンネルと異なるチャンネルを選局できるか否かを判定する判定部、
前記テレビ受信装置との間で命令を含む情報を送受信する送受信部及び
該送受信部が前記テレビ受信装置に命令を送信することにより、該テレビ受信装置の表示部が表示する映像の入力ソースを前記受信部及び受信手段の間で切り替える切替部
を備える録画装置と
を含み、前記録画装置の切替部は、前記判定部が選局できないと判定した場合、前記入力ソースを前記テレビ受信装置の受信手段に切り替えるようにしてある録画システムであって、
前記録画装置は、
前記テレビ受信装置が表示するテレビ放送に係る選局情報を受け付ける受付部と、
該受付部が受け付けた選局情報に対応するテレビ放送の映像の表示命令を前記送受信部にて前記テレビ受信装置へ送信する命令送信部と、
前記受信部が受信するテレビ放送から電子番組表を抽出する抽出部と、
該抽出部が抽出した電子番組表に基づいて、前記受付部が受け付けた選局情報に対応するテレビ放送の番組終了時間を抽出する番組終了抽出部と、
該番組終了抽出部が抽出した前記番組終了時間になった場合、前記テレビ受信装置の表示部が表示する映像に係るコンテンツが他のコンテンツに切り替わると判定するコンテンツ切替判定部とを備え、
前記録画装置の切替部は、前記判定部が選局できると判定し、かつ前記コンテンツ切替判定部が他のコンテンツに切り替わると判定した場合、前記入力ソースを前記受信部に切り替えるようにしてある
ことを特徴とする録画システム。
【請求項１０】
前記テレビ受信装置は、
前記受信手段が受信したテレビ放送の映像を記録媒体に録画する録画手段と、
該録画手段が前記映像を予約録画するための時間情報が含まれた録画予約情報を受け付ける受付手段と
を備え、
前記録画装置の送受信部は、前記受付手段が受け付けた録画予約情報を前記テレビ受信装置から取得するようにしてあり、
前記録画装置の切替部は、前記判定部による判定結果及び前記送受信部が取得した録画予約情報に基づいて、前記入力ソースを前記受信部及び受信手段の間で切り替えるか否かを決定するようにしてある
ことを特徴とする請求項９に記載の録画システム。
【請求項１１】
前記テレビ受信装置及び録画装置の間に接続され、該テレビ受信装置及び録画装置との間で命令を含む情報の送受信をする中継機器を含み、
前記録画装置の送受信部は、前記受信手段が受信したテレビ放送に係る音声信号を前記中継機器に送信する命令を、該中継機器を介して、前記テレビ受信装置に送信するようにしてある
ことを特徴とする請求項９又は請求項１０に記載の録画システム。
【発明の詳細な説明】
【技術分野】
【０００１】
本発明は、チューナを備えた録画装置及び録画システムに関する。
【背景技術】
【０００２】
チューナを備えた録画装置とテレビ受信装置とをＨＤＭＩ（High-Definition Multimedia Interface、登録商標）により接続した場合、ＣＥＣ（Consumer Electronics Control）信号を用いて、録画装置からテレビ受信装置のチューナを操作することができる。また、同様に、テレビ受信装置から録画装置のチューナを操作することができる（例えば、特許文献１、２参照）。
【０００３】
しかし、テレビ受信装置から録画装置に対して各種操作をする場合、操作に対する応答時間が長い、録画装置固有の操作ができないことがある等の問題がある。そのため、録画装置の使用頻度が高いユーザは、録画装置からテレビ受信装置を操作することが多い。かかる場合、テレビ受信装置には、録画装置のチューナが選局した番組映像が表示される。
【先行技術文献】
【特許文献】
【０００４】
【特許文献１】特開２００８−６１０６５号公報
【特許文献２】特開２００８−２９４６６１号公報
【発明の概要】
【発明が解決しようとする課題】
【０００５】
しかしながら、例えば録画装置のチューナが録画のために使用されている場合、予約録画開始直前である場合等、録画装置のチューナに対して選局操作をすることができない状態が生じる。かかる場合、チャンネルを変更するためには、ユーザは操作対象機器を録画装置からテレビ受信装置にわざわざ切り替え、テレビ受信装置のチューナに対して選局操作を行うことになる。そのため、録画装置及びテレビ受信装置を含むＡＶ機器の操作環境は使い勝手の悪いものとなっている。
【０００６】
本願は斯かる事情に鑑みてなされたものである。その目的は、操作対象機器の切り替わりをユーザに意識させることなく、かつユーザが違和感なく選局操作をすることができる録画装置及び録画システムを提供することにある。
【課題を解決するための手段】
【０００７】
本願に係る録画装置は、映像を記録媒体に録画する録画部と、テレビ放送を受信する受信部と、前記録画部が前記受信部により受信されたテレビ放送の映像を録画しているか否かに基づいて、該受信部が録画のために受信するテレビ放送のチャンネルと異なるチャンネルを選局できるか否かを判定する判定部と、テレビ放送を受信する受信手段が内蔵又は外付けされた外部の表示装置との間で命令を含む情報を送受信する送受信部と、該送受信部が前記外部の表示装置に命令を送信することにより、該外部の表示装置が表示する映像の入力ソースを前記受信部及び受信手段の間で切り替える切替部とを備え、該切替部は、前記判定部が選局できないと判定した場合、前記入力ソースを前記受信手段に切り替えるようにしてある録画装置であって、前記外部の表示装置が表示するテレビ放送に係る選局情報を受け付ける受付部と、該受付部が受け付けた選局情報に対応するテレビ放送の映像の表示命令を前記送受信部にて前記外部の表示装置へ送信する命令送信部と、前記受信部が受信するテレビ放送から電子番組表を抽出する抽出部と、該抽出部が抽出した電子番組表に基づいて、前記受付部が受け付けた選局情報に対応するテレビ放送の番組終了時間を抽出する番組終了抽出部と、該番組終了抽出部が抽出した前記番組終了時間になった場合、前記外部の表示装置が表示する映像に係るコンテンツが他のコンテンツに切り替わると判定するコンテンツ切替判定部とを備え、前記切替部は、前記判定部が選局できると判定し、かつ前記コンテンツ切替判定部が他のコンテンツに切り替わると判定した場合、前記入力ソースを前記受信部に切り替えるようにしてあることを特徴とする。
【０００８】
本願に係る録画装置では、テレビ放送を受信する受信部を備えている。外部の表示装置はテレビ放送を受信する受信手段を有している。外部の表示装置が有する受信手段は内蔵又は外付けである。録画装置は、外部の表示装置との間で命令を含む情報を送受信する。録画装置は、外部の表示装置に命令を送信することにより、外部の表示装置が表示する映像の入力ソースを自身の受信部と受信手段との間で切り替える切替部を備えている。切替部は、受信部が受信するテレビ放送のチャンネルと異なるチャンネルを選局できない場合、外部の表示装置が表示する映像の入力ソースを受信部から受信手段に切り替える。切替部は、受信部が受信するテレビ放送のチャンネルを選局でき、かつ外部の表示装置が表示する映像のコンテンツが他のコンテンツに切り替わる場合、外部の表示装置が表示する映像の入力ソースを受信手段から受信部に切り替える。録画装置は、選局情報を受け付け、受け付けた選局情報に対応するテレビ放送の映像の表示命令を外部の表示装置へ送信する。また、録画装置は、受信部が受信するテレビ放送から電子番組表を抽出し、抽出した電子番組表に基づいて、受け付けた選局情報に対応するテレビ放送の番組終了時間を抽出する。録画装置は、抽出した番組終了時間になった場合、外部の表示装置が表示する映像のコンテンツが他のコンテンツに切り替わったと判定し、外部の表示装置が表示する映像の入力ソースを受信手段から受信部に切り替える。
【００１１】
本願に係る録画装置は、前記受付部が受け付けた選局情報に対応して前記受信部が受信するテレビ放送からコマーシャル放送の開始又は終了を検出する検出部を備え、前記コンテンツ切替判定部は、前記検出部がコマーシャル放送の開始又は終了を検出した場合、他のコンテンツに切り替わると判定するようにしてあることを特徴とする。
【００１２】
本願に係る録画装置では、受け付けた選局情報に対応して受信部が受信するテレビ放送からコマーシャル放送の開始又は終了を検出した場合、外部の表示装置が表示する映像のコンテンツが他のコンテンツに切り替わったと判定する。
【００１３】
本願に係る録画装置は、前記受信部が受信するテレビ放送の映像を前記録画部が予約録画するための時間情報が含まれた録画予約情報を受け付ける予約受付部を備え、前記切替部は、前記予約受付部が受け付けた録画予約情報に所定時間より短い時間間隔で間欠的に繰り返される録画予約群が含まれる場合、前記録画部が該録画予約群のうち最後の録画予約に対応する予約録画を終了したとき、前記入力ソースを前記受信部に切り替えるようにしてあることを特徴とする。
【００１４】
本願に係る録画装置では、受信部が受信するテレビ放送の映像を予約録画するための時間情報が含まれた録画予約情報を受け付ける。切替部は、受け付けた録画予約情報の中に所定時間より短い時間間隔で間欠的に繰り返される録画予約群が含まれており、この録画予約群のうち最後の録画予約に対応する予約録画が終了した場合、外部の表示装置が表示する映像の入力ソースを受信手段から受信部に切り替える。
【００１５】
本願に係る録画装置は、前記送受信部は、前記受信手段が受信するテレビ放送に係る番組の視聴を予約するための時間情報が含まれた視聴予約情報を、前記外部の表示装置から取得するようにしてあり、前記送受信部が取得した視聴予約情報に基づいて、視聴予約されたテレビ放送に係る番組が終了したか否かを判定する視聴予約判定部を備え、前記切替部は、前記判定部が選局できると判定し、かつ前記視聴予約判定部により視聴予約されたテレビ放送に係る番組が終了したと判定された場合、前記入力ソースを前記受信部に切り替えるようにしてあることを特徴とする。
【００１６】
本願に係る録画装置では、受信手段が受信するテレビ放送に係る番組の視聴を予約するための時間情報が含まれた視聴予約情報を外部の表示装置から受信することにより取得する。切替部は、受信部が受信するテレビ放送のチャンネルを選局することができ、かつ外部の表示装置から取得した視聴予約情報に基づいて、視聴予約されたテレビ放送が終了したと判定される場合、外部の表示装置が表示する映像の入力ソースを受信手段から受信部に切り替える。
【００１７】
本願に係る録画装置は、前記送受信部が前記外部の表示装置に対して前記受信手段の制御について問い合わせた結果に基づいて、該受信手段が受信するテレビ放送のチャンネルを選局できるか否かを判定する選局判定部を備え、前記送受信部は、前記判定部が選局できないと判定し、かつ前記選局判定部が選局できないと判定した場合、選局に関する通知情報を前記外部の表示装置に送信するようにしてあることを特徴とする。
【００１８】
本願に係る録画装置では、外部の表示装置と送受信し、外部の表示装置に対して受信手段の制御について問い合わせた結果に基づき、受信手段が受信するテレビ放送のチャンネルを選局できるか否かを判定する。録画装置は、受信部が受信するテレビ放送のチャンネルを選局することができず、かつ受信手段が受信するテレビ放送のチャンネルも選局できない場合、選局に関する通知情報を外部の表示装置に送信する。
【００１９】
本願に係る録画装置は、前記切替部は、前記判定部が選局できると判定する場合及び前記選局判定部が選局できると判定する場合のうち、より早期に選局使用可能なチューナ判定結果に基づいて、前記入力ソースを前記受信部及び受信手段の間で切り替えるか否かを決定するようにしてあることを特徴とする。
【００２０】
本願に係る録画装置では、受信部が受信するテレビ放送のチャンネルを選局できると判定する場合と、受信手段が受信するテレビ放送のチャンネルを選局できると判定する場合とのうち、より早期に選局使用可能なチューナ判定結果に基づいて、切替部は外部の表示装置が表示する映像の入力ソースを受信部と受信手段との間で切り替えるか否かを決定する。
【００２１】
本願に係る録画装置は、テレビ放送を受信する第二受信部と、該第二受信部が受信するテレビ放送の映像を記録媒体に録画する第二録画部と、該第二録画部が録画した映像を再生する再生部とを備え、前記第二受信部は、受信したテレビ放送の映像が前記第二録画部による録画にのみ使用されるようにしてあり、前記第二録画部は、前記判定部が選局できないと判定し、かつ前記選局判定部が選局できないと判定した場合、前記第二受信部が受信するテレビ放送の映像に係る録画を開始するようにしてあり、前記再生部は、前記第二録画部が録画を終了する前又は後に、該第二録画部が録画した映像の再生を該映像の先頭から開始するようにしてあることを特徴とする。
【００２２】
本願に係る録画装置では、テレビ放送を受信する第二受信部を備えている。第二受信部は、第二録画部による録画にのみ使用される。録画装置は、受信部が受信するテレビ放送のチャンネルを選局できず、かつ受信手段が受信するテレビ放送のチャンネルを選局できない場合、第二受信部が受信するテレビ放送の映像を録画し始める。録画装置は、第二受信部が受信するテレビ放送に係る映像の録画が終了する前又は後に、録画した映像を先頭から再生し始める。
【００２３】
本願に係る録画装置は、前記受信部が受信するテレビ放送の映像を前記録画部が予約録画するための時間情報が含まれた録画予約情報を受け付ける予約受付部を備え、前記判定部は、前記予約受付部が受け付けた録画予約情報に係る予約録画開始の所定時間前になった場合、前記受信部が前記録画予約情報に基づいて受信するテレビ放送のチャンネルと異なるチャンネルを選局できないと判定するようにしてあることを特徴とする。
【００２４】
本願に係る録画装置では、受信部が受信するテレビ放送の映像を予約録画するための時間情報が含まれた録画予約情報を受け付ける。録画装置は、受け付けた録画予約情報に係る予約録画開始の所定時間前になった場合、受信部が録画予約情報に基づいて受信するテレビ放送のチャンネルと異なるチャンネルを選局できないと判定する。
【００２５】
本願に係る録画システムは、テレビ放送を受信する内蔵又は外付けされた受信手段及び該受信手段が受信したテレビ放送の映像を表示する表示部を備えるテレビ受信装置と、映像を記録媒体に録画する録画部、テレビ放送を受信する受信部、前記録画部が前記受信部により受信されたテレビ放送の映像を録画しているか否かに基づいて、該受信部が録画のために受信するテレビ放送のチャンネルと異なるチャンネルを選局できるか否かを判定する判定部、前記テレビ受信装置との間で命令を含む情報を送受信する送受信部及び該送受信部が前記テレビ受信装置に命令を送信することにより、該テレビ受信装置の表示部が表示する映像の入力ソースを前記受信部及び受信手段の間で切り替える切替部を備える録画装置とを含み、前記録画装置の切替部は、前記判定部が選局できないと判定した場合、前記入力ソースを前記テレビ受信装置の受信手段に切り替えるようにしてある録画システムであって、前記録画装置は、前記テレビ受信装置が表示するテレビ放送に係る選局情報を受け付ける受付部と、該受付部が受け付けた選局情報に対応するテレビ放送の映像の表示命令を前記送受信部にて前記テレビ受信装置へ送信する命令送信部と、前記受信部が受信するテレビ放送から電子番組表を抽出する抽出部と、該抽出部が抽出した電子番組表に基づいて、前記受付部が受け付けた選局情報に対応するテレビ放送の番組終了時間を抽出する番組終了抽出部と、該番組終了抽出部が抽出した前記番組終了時間になった場合、前記テレビ受信装置の表示部が表示する映像に係るコンテンツが他のコンテンツに切り替わると判定するコンテンツ切替判定部とを備え、前記録画装置の切替部は、前記判定部が選局できると判定し、かつ前記コンテンツ切替判定部が他のコンテンツに切り替わると判定した場合、前記入力ソースを前記受信部に切り替えるようにしてあることを特徴とする。
【００２６】
本願に係る録画システムでは、テレビ受信装置と録画装置とを含む。テレビ受信装置は、テレビ放送を受信する内蔵又は外付けの受信手段を備えている。また、テレビ受信装置は、受信手段が受信したテレビ放送の映像を表示する表示部を備えている。録画装置は、テレビ放送を受信する受信部を備えている。録画装置は、テレビ受信装置との間で命令を含む情報を送受信する。録画装置は、テレビ受信装置に命令を送信することにより、テレビ受信装置の表示部が表示する映像の入力ソースを自身の受信部と受信手段との間で切り替える切替部を備えている。切替部は、受信部が受信するテレビ放送のチャンネルと異なるチャンネルを選局できない場合、テレビ受信装置の表示部が表示する映像の入力ソースを受信部から受信手段に切り替える。切替部は、受信部が受信するテレビ放送のチャンネルを選局でき、かつテレビ受信装置の表示部が表示する映像のコンテンツが他のコンテンツに切り替わる場合、テレビ受信装置の表示部が表示する映像の入力ソースを受信手段から受信部に切り替える。録画装置は、選局情報を受け付け、受け付けた選局情報に対応するテレビ放送の映像の表示命令をテレビ受信装置へ送信する。また、録画装置は、受信部が受信するテレビ放送から電子番組表を抽出し、抽出した電子番組表に基づいて、受け付けた選局情報に対応するテレビ放送の番組終了時間を抽出する。録画装置は、抽出した番組終了時間になった場合、テレビ受信装置が表示する映像のコンテンツが他のコンテンツに切り替わったと判定し、テレビ受信装置が表示する映像の入力ソースを受信手段から受信部に切り替える。
【００２７】
本願に係る録画システムは、前記テレビ受信装置は、前記受信手段が受信したテレビ放送の映像を記録媒体に録画する録画手段と、該録画手段が前記映像を予約録画するための時間情報が含まれた録画予約情報を受け付ける受付手段とを備え、前記録画装置の送受信部は、前記受付手段が受け付けた録画予約情報を前記テレビ受信装置から取得するようにしてあり、前記録画装置の切替部は、前記判定部による判定結果及び前記送受信部が取得した録画予約情報に基づいて、前記入力ソースを前記受信部及び受信手段の間で切り替えるか否かを決定するようにしてあることを特徴とする。
【００２８】
本願に係る録画システムでは、テレビ受信装置は受信手段が受信したテレビ放送の映像を記録媒体に記録する録画手段を有している。録画装置は、テレビ受信装置が受け付けた録画手段による予約録画のための時間情報が含まれた録画予約情報をテレビ受信装置から取得する。録画装置は、受信部が受信するテレビ放送のチャンネルと異なるチャンネルを選局できるか否かという判定結果及びテレビ受信装置から取得した録画予約情報に基づいて、テレビ受信装置の表示部が表示する映像の入力ソースを受信部と受信手段との間で切り替えるか否かを決定する。
【００２９】
本願に係る録画システムは、前記テレビ受信装置及び録画装置の間に接続され、該テレビ受信装置及び録画装置との間で命令を含む情報の送受信をする中継機器を含み、前記録画装置の送受信部は、前記受信手段が受信したテレビ放送に係る音声信号を前記中継機器に送信する命令を、該中継機器を介して、前記テレビ受信装置に送信するようにしてあることを特徴とする。
【００３０】
本願に係る録画システムでは、テレビ受信装置と録画装置との間に接続された中継機器を含む。中継機器は、テレビ受信装置及び録画装置との間で命令を含む情報の送受信をする。録画装置は、受信手段が受信したテレビ放送に係る音声信号を中継機器に送信する命令を、中継装置を介して、テレビ受信装置に送信する。
【発明の効果】
【００３１】
本願に係る録画装置によれば、操作対象機器の切り替わりをユーザに意識させることなく、かつユーザが違和感なく選局操作をすることができる。
【図面の簡単な説明】
【００３２】
【図１】録画再生装置とテレビ受信装置との接続構成の一例を示す説明図である。
【図２】録画再生装置の構成の一例を示すブロック図である。
【図３】録画再生装置とテレビ受信装置との間におけるＣＥＣコマンド送受信処理の手順の概要を示したフローチャートである。
【図４】録画再生装置の動作モード及びテレビ受信装置における入力ソースの切り替えの一例に関するタイミングチャートである。
【図５】制御部がテレビ受信装置の入力ソースをチューナ部から内蔵チューナに切り替える処理の手順の一例を示すフローチャートである。
【図６】テレビ受信装置が備える内蔵チューナの選局処理の手順の一例を示したフローチャートである。
【図７】録画再生装置の動作モード及びテレビ受信装置における入力ソースの切り替えの一例に関するタイミングチャートである。
【図８】録画再生装置の動作モード及びテレビ受信装置における入力ソースの切り替えの一例に関するタイミングチャートである。
【図９】テレビ受信装置の入力ソースを内蔵チューナから録画再生装置のチューナ部に切り替える処理の手順の一例を示すフローチャートである。
【図１０】録画再生装置の動作モード及びテレビ受信装置における入力ソースの切り替えの一例に関するタイミングチャートである。
【図１１】録画再生装置の動作モード及びテレビ受信装置における入力ソースの切り替えの一例に関するタイミングチャートである。
【図１２】テレビ受信装置の入力ソースを内蔵チューナから録画再生装置のチューナ部に切り替える処理の手順の一例を示すフローチャートである。
【図１３】録画再生装置の動作モード、テレビ受信装置の視聴予約設定及びテレビ受信装置における入力ソースの切り替えの一例に関するタイミングチャートである。
【図１４】録画再生装置、テレビ受信装置及びＡＶアンプの接続構成の一例を示す説明図である。
【図１５】録画再生装置、テレビ受信装置及びＡＶアンプの接続構成の一例を示す説明図である。
【図１６】録画再生装置とテレビ受信装置との接続構成の一例を示す説明図である。
【図１７】録画再生装置の動作モード、テレビ受信装置の録画予約設定及びテレビ受信装置における入力ソースの切り替えの一例に関するタイミングチャートである。
【図１８】録画再生装置の動作モード、テレビ受信装置の録画予約設定及びテレビ受信装置における入力ソースの切り替えの一例に関するタイミングチャートである。
【図１９】録画再生装置の動作モード、テレビ受信装置の録画予約設定、テレビ受信装置における入力ソースの切り替え、裏録画及びタイムシフト再生の一例に関するタイミングチャートである。
【発明を実施するための形態】
【００３３】
本願に係る録画装置を、実施の形態を示す図面に基づいて説明する。本願に係る録画装置は、録画再生装置、ポータブルレコーダ、録画再生機能を有する携帯電話機、録画再生機能を有するコンピュータ等を含む。以下では、録画再生装置を例に挙げて、本願に係る録画装置を説明する。
【００３４】
実施の形態１
図１は、録画再生装置１とテレビ受信装置２との接続構成の一例を示す説明図である。録画再生装置１とテレビ受信装置（外部の表示装置）２とは、ＨＤＭＩケーブル３により接続されている。録画再生装置１とテレビ受信装置２とは、夫々異なるリモコン（図示せず）により操作可能である。テレビ受信装置２は、受付部（受付手段）２２がリモコンから受け付けた操作信号に基づいて、内蔵チューナ（受信手段）２１が受信するテレビ放送のチャンネルを切り替え、切り替えたチャンネルの映像を画面（表示部）２３に表示する。テレビ受信装置は、受付部２２がリモコンから受け付けた操作信号に基づいて、ＣＥＣ信号を録画再生装置１に送信し、録画再生装置１を操作することができる。ただし、テレビ受信装置２は、録画再生装置１に対して限られた基本操作しかできない。
【００３５】
一方、録画再生装置１もＣＥＣ信号を用いて、テレビ受信装置２を操作することができる。録画再生装置１は、テレビ受信装置２に対して、電源のオン、オフ、音量切替、画像調整等が可能である。また、録画再生装置１は、テレビ受信装置２の内蔵チューナ２１が選局するチャンネルを切り替えることができる。
録画再生装置１とテレビ受信装置２とは、ＨＤＭＩケーブル３を介して、映像データ及び音声データ並びに操作信号（ＣＥＣ信号を含む情報）の他に、様々なデータの送受信を行うことができる。
録画再生装置１が録画した映像は、テレビ受信装置２により表示される。そのため、録画再生装置１とテレビ受信装置２とは、録画システムでもあるし、表示システムでもある。
【００３６】
なお、録画再生装置１とテレビ受信装置２とを接続する規格は、ＨＤＭＩに限らない。録画再生装置１とテレビ受信装置２とは、ｉＬＩＮＫケーブル、ＬＡＮ（Local Area Network）ケーブル等により接続されてもよい。
また、録画再生装置１は、テレビ受信装置２の代わりに、映像及び音声を出力可能な表示装置とＨＤＭＩケーブル３により接続されていてもよい。かかる場合、表示装置は、外付けチューナ（受信手段）と接続されており、当該外付けチューナが選局するチャンネルを切り替えることがでる。表示装置は、外付けチューナが選局したテレビ放送の映像及び音声を出力することができる。そして、録画再生装置１は、表示装置を介して当該表示装置に接続された外付けチューナが選局するチャンネルを切り替えることができる。
【００３７】
図２は、録画再生装置１の構成の一例を示すブロック図である。録画再生装置１は、制御部（判定部、切替部、コンテンツ切替判定部、抽出部、番組終了抽出部、検出部、視聴予約判定部、選局判定部）１１、ＲＯＭ１２及びＲＡＭ１３を含む。
制御部１１は、ＣＰＵ（Central Processing Unit）、ＭＰＵ（Micro Processor Unit）等のプロセッサであり、バス１ｂを介して録画再生装置１の各構成部を制御する。制御部１１は、ＲＯＭ１２に格納されているプログラムをＲＡＭ１３にロードし、当該プログラムを実行する。制御部１１は、ＣＥＣ機能を有するハードウェアを搭載していてもよいし、搭載してなくてもよい。制御部１１がＣＥＣ機能を有するハードウェアを搭載していない場合、ＲＯＭ１２に格納するプログラムにＣＥＣ機能を実装する。
【００３８】
制御部１１は、ＨＤＭＩケーブル３で接続されたテレビ受信装置２に対して、接続状況を問い合わせるＣＥＣコマンド（Message）（命令）を所定の周期で送信する。制御部１１は、送信したＣＥＣコマンドに対する応答（Response）をテレビ受信装置２から受信することにより、テレビ受信装置２との接続状況を監視する。
制御部１１は、後述する番組情報管理部１１ａ、予約管理部１１ｂ及びＣＭ（コマーシャル）検出部（検出部）１１ｃを有する。
【００３９】
ＲＯＭ１２は、例えば不揮発性の半導体メモリ又は半導体メモリ以外の読み出し専用記憶媒体である。ＲＯＭ１２は、制御部１１が実行するプログラム、各種操作パネルを記録している。
ＲＡＭ１３は、例えばＳＲＡＭ（Static RAM）、ＤＲＡＭ（Dynamic RAM）等であり、制御部１１が実行する処理の過程で必要な作業変数、データ等を一時的に記録する。なお、ＲＡＭ１３の代わりにフラッシュメモリ、メモリカード等が用いられてもよい。ＲＡＭ１３は、制御部１１がＣＥＣコマンド及び応答信号により検出したテレビ受信装置２との接続状況を記録する。なお、ＨＤＭＩケーブル３により録画再生装置１と接続される機器の数が増大した場合、増大した機器の数に応じてＲＡＭ１３に記録される接続状況のデータ量も増大する。
【００４０】
録画再生装置１は、タイマ１４、受付部（予約受付部）１５、チューナ部（受信部、第二受信部）１６、信号処理部１７、通信部（送受信部）１８、ＨＤＤ（録画部、第二録画部、再生部）１９及びディスクドライブ（録画部）２０を含む。
タイマ１４は、日時を計時し、計時した日時を制御部１１に出力する。
受付部１５は、リモコンＲから受光した赤外線を操作信号に変換し、変換した操作信号を制御部１１に送信する。受付部１５が受け付ける赤外線に対応する操作信号は、例えばテレビ放送のチャンネルを選局する信号、録画を開始する信号、録画を停止する信号等である。なお、リモコンＲと受付部１５とは、無線で接続されてもよいし、有線で接続されてもよい。リモコンＲと受付部１５とを無線で接続する場合、操作信号は上記の赤外線に限らず、例えば電波により送受信されてもよい。
【００４１】
チューナ部１６は、アンテナＡが受信した放送信号を受け付ける。チューナ部１６は、制御部１１からの信号に基づいて、受け付けた放送信号のうち、特定の周波数帯域の放送信号を選局し、選局した放送信号を信号処理部１７に出力する。
なお、録画再生装置１は、チューナ部１６を含まなくてもよい。かかる場合、外部のチューナと録画再生装置１とを接続し、リモコンＲにより外部のチューナを操作する形態でもよい。
【００４２】
信号処理部１７は、チューナ部１６から放送信号を受け付け、受け付けた放送信号をデジタルの映像信号及び音声信号にＡＤ変換する。信号処理部１７はＡＤ変換した映像信号及び音声信号を通信部１８に出力する。また、信号処理部１７は、ＡＤ変換した映像信号及び音声信号を所定形式の映像データ及び音声データにエンコードし、ＨＤＤ１９又はディスクドライブ２０に出力する。
上記の所定形式は、例えばＭＰＥＧ（Moving Picture Experts Group）形式、ＤＶ（Digital Video）圧縮形式、モーションＪＰＥＧ（Motion Joint Photographic Expert Group）形式等である。
【００４３】
信号処理部１７は、ＨＤＤ１９又ディスクドライブ２０からエンコードされた所定形式の映像データ及び音声データを受け付け、デコードする。信号処理部１７は、デコードした映像信号及び音声信号を通信部１８に出力する。
信号処理部１７がチューナ部１６から受け付ける放送信号には、ＥＰＧ（Electric Program Guide、電子番組表）信号が含まれている。ＥＰＧ信号が示す番組情報は、例えば各放送局が放送する放送番組のジャンル、放送チャンネル、放送開始日時、放送終了日時及びタイトル等である。信号処理部１７は、ＥＰＧ信号が示す番組情報を制御部１１及び通信部１８に出力する。
【００４４】
番組情報管理部１１ａ及び予約管理部１１ｂは、ＥＥＰＲＯＭ（Electrically Erasable Programmable Read-Only Memory）、フラッシュメモリ等の不揮発性メモリである。制御部１１は、信号処理部１７から受け付けた番組情報を番組情報管理部１１ａに記録する。制御部１１は、受付部１５から受け付けた録画予約情報を予約管理部１１ｂに記録する。録画予約情報は、例えば予約番号、録画チャンネル、録画開始日時及び録画終了日時、番組タイトル等を含む。
制御部１１は、受付部１５から受け付けたチューナ部１６又はテレビ受信装置２の内蔵チューナ２１に係る視聴予約情報を予約管理部１１ｂに記録する。また、制御部１１は、テレビ受信装置２から、テレビ受信装置２に設定された視聴予約情報を取得し、予約管理部１１ｂに記録する。視聴予約とは、予め視聴する時間及び番組を予約登録することである。
なお、番組情報管理部１１ａ及び予約管理部１１ｂは、ＨＤＤ１９内のＨＤ１９ｄに設けられてもよい。
【００４５】
制御部１１は、ＣＭ検出部１１ｃを含む。ＣＭ検出部１１ｃは、ＣＭを検出する機能から見た制御部１１の機能部に該当する。
ＣＭ検出部１１ｃは、信号処理部１７から出力される放送データを監視する。放送データは、映像及び音声に関する各種付加情報を含む。例えば、日本の場合、ＡＲＩＢ標準規格及びＡＲＩＢ技術資料により付加情報の内容と付加情報の収納位置とが規定されている。ＣＭ検出部１１ｃは、放送データに含まれるコンテンツのジャンルが放送番組とＣＭとで異なることから、テレビ受信装置２が出力する映像及び音声におけるＣＭの開始又は終了を検出する。
あるいは、ＣＭ検出部１１ｃは、モノラルモード及び多重音声モードの違い、無音区間、シーンチェンジ、音量変化等に基づいてＣＭを検出してもよい。
なお、負荷分散のために、ＣＭ検出部１１ｃを制御部１１とは独立した別の構成部としてもよい。かかる場合、ＣＭ検出部１１ｃは、ＣＭ開始又はＣＭ終了を検出した場合、夫々所定の信号を制御部１１に送信する。
【００４６】
通信部１８は、例えばＨＤＭＩ端子であり、外部のテレビ受信装置２とＨＤＭＩケーブル３により接続されている。通信部１８は、信号処理部１７から映像信号及び音声信号を、制御部１１から制御信号、各種データ（映像又は音声に対応する付随情報又は機器状態情報等）を受け付ける。通信部１８は、受け付けた映像信号、音声信号、制御信号及び各種データを外部のテレビ受信装置２に送信する。
また、通信部１８は、外部のテレビ受信装置２から制御信号及び各種データ（命令を含む情報）を受信し、受信した制御信号及び各種データを制御部１１に出力する。
上記の制御信号は、例えばＨＤＭＩ規格のＣＥＣ信号である。上記の各種データは、例えば録画予約情報、視聴予約情報、電子番組表等である。
【００４７】
なお、通信部１８は、録画再生装置１とテレビ受信装置２等の外部の装置とをｉＬＩＮＫ、イーサネット（登録商標）等で接続するインタフェースであってもよい。かかる場合、制御部１１は、ｉＬＩＮＫケーブル、ＬＡＮケーブル等を介して、外部の装置と通信し、各種データの交換、制御信号の送受信を行う。
【００４８】
ＨＤＤ（ハードディスクドライブ）１９は、ＨＤ（記録媒体、ハードディスク）１９ｄを内蔵し、信号処理部１７から受け付けた映像データ及び音声データをファイル単位でＨＤ１９ｄに記録する。ＨＤＤ１９は、ＨＤ１９ｄから記録した映像データ及び音声データを読み出し、読み出した映像データ及び音声データを信号処理部１７に出力する。
【００４９】
ディスクドライブ２０は、信号処理部１７から受け付けた映像データ及び音声データをファイル単位でＤＶＤ（Digital Versatile Disc）、ＢＤ（Blu-ray Disc、登録商標）等のディスク（記録媒体）１ｄに記録する。ディスクドライブ２０は、ディスク１ｄから記録した映像データ及び音声データを読み出し、読み出した映像データ及び音声データを信号処理部１７に出力する。
【００５０】
次に、録画再生装置１の動作について説明する。
初期状態は、ユーザが録画再生装置１のリモコンＲを用いて、録画再生装置１を自由に操作できる状態である。また、テレビ受信装置２は録画再生装置１のチューナ部１６が選局した放送信号に基づいた映像及び音声を出力している。
【００５１】
チューナ部１６に対するチャンネルの選局操作がユーザにより行なわれた場合、録画再生装置１は、チューナ部１６が占有状態か否か判定する。チューナ部１６の占有状態は、チューナ部１６が録画再生装置１の録画に使用されている状態を含む。チューナ部１６の占有状態は、録画再生装置１がチューナ部１６により選局された番組映像の予約録画を開始する所定時間前（予約録画開始の所定時間前）の状態、及び録画再生装置１がチューナ部１６により選局された番組映像の録画を終了した後の終了処理を行っている状態を含む。なお、録画の終了処理が終わった状態を録画の終了と捉えてもよい。更に、チューナ部１６の占有状態は、チューナ部１６が視聴予約されている番組開始の所定時間前の状態及びチューナ部１６が視聴予約を実行している状態を含む。
【００５２】
録画再生装置１は、チューナ部１６が占有状態である場合、ユーザが選局操作を行ったとき、テレビ受信装置２が映像及び音声を出力するための入力ソースを録画再生装置１のチューナ部１６からテレビ受信装置２の内蔵チューナ２１に一時的に切り替える。ここでのユーザによる選局操作は、例えば録画のために選局されたチャンネルと異なるチャンネルにユーザが切り替える操作である。録画再生装置１は、テレビ受信装置２の内蔵チューナ２１が選局するチャンネルをユーザにより指定されたチャンネルに変更する。録画再生装置１は、チューナ部１６が占有状態でなくなった場合、テレビ受信装置２が映像及び音声を出力するための入力ソースをテレビ受信装置２の内蔵チューナ２１から録画再生装置１のチューナ部１６に再び切り替える。録画再生装置１は、チューナ部１６が選局するチャンネルをユーザにより指定されたチャンネルに変更する。
【００５３】
図３は、録画再生装置１とテレビ受信装置２との間におけるＣＥＣコマンド送受信処理の手順の概要を示したフローチャートである。図３に示す以下の処理では、録画再生装置１とテレビ受信装置２との電源がオンされた場合、これらの機器の間で接続に参加したことを示すメッセージの送受信、Ｖｅｎｄｅｒ  ＩＤの通知等が行われる処理は省略している。
【００５４】
録画再生装置１は、リモコンＲからチューナ部１６に対するチャンネルの選局操作を受領する（ステップＳ１０１）。録画再生装置１は、テレビ受信装置２からチューナ制御用ＣＥＣコマンドを受信し、チューナ部１６が占有状態か否か判定する（ステップＳ１０２）。録画再生装置１は、自身のチューナ部１６が占有状態でないと判定した場合（ステップＳ１０２：ＮＯ）、処理を終了する。
【００５５】
録画再生装置１は、チューナ部１６が占有状態であると判定した場合（ステップＳ１０２：ＹＥＳ）、テレビ受信装置２の内蔵チューナ２１が占有状態か否か判定する（ステップＳ１０３）。録画再生装置１は、テレビ受信装置２の内蔵チューナ２１が占有状態であると判定した場合（ステップＳ１０３：ＹＥＳ）、現在選局はできないことを示すメッセージ（選局に関する通知情報）をテレビ受信装置２の画面２３に表示させ（ステップＳ１０４）、処理を終了する。
【００５６】
なお、テレビ受信装置２の内蔵チューナ２１に係る占有状態は、内蔵チューナ２１が視聴予約されている番組開始の所定時間前の状態及び内蔵チューナ２１が視聴予約を実行している状態を含む。また、テレビ受信装置２の内蔵チューナ２１に係る占有状態は、テレビ受信装置２が内蔵型録画再生装置を有する場合、内蔵型録画再生装置が内蔵チューナ２１を使用して録画している状態を含む。また、テレビ受信装置２の内蔵チューナ２１に係る占有状態は、内蔵型録画再生装置が内蔵チューナ２１により選局された番組映像の予約録画を開始する所定時間前の状態、及び内蔵型録画再生装置が内蔵チューナ２１により選局された番組映像の録画を終了した後の終了処理を行っている状態を含む。なお、録画の終了処理が終わったときが録画終了時としてもよい。
録画再生装置１は、テレビ受信装置２に対するＣＥＣ信号の送受信により、テレビ受信装置２の内蔵チューナ２１が占有状態であるか否かを判定することができる。
【００５７】
録画再生装置１は、テレビ受信装置２の内蔵チューナ２１が占有状態でないと判定した場合（ステップＳ１０３：ＮＯ）、テレビ受信装置２の内蔵チューナ２１を使用すると決定する（ステップＳ１０５）。録画再生装置１は、テレビ受信装置２に対して、チューナ制御用ＣＥＣコマンド（選局コマンド）の受領を返信する（ステップＳ１０６）。テレビ受信装置２は、録画再生装置１からチューナ制御用ＣＥＣコマンド（選局コマンド）の受領を受信し（ステップＳ１０７）、処理を終了する。録画再生装置１は、テレビ受信装置２に対して入力ソースを録画再生装置１から内蔵チューナ２１に切り替えるコマンド、チューナ制御用ＣＥＣコマンド（選局コマンド）等を送信し（ステップＳ１０８）、処理を終了する。
【００５８】
ステップＳ１０１及びステップＳ１０７の処理は、録画再生装置２がテレビ受信装置１側のチューナ部１６の制御をする場合の機器間連携を示している。ステップＳ１０７の処理は、ＣＥＣコマンドに対する応答信号の受信に対応する処理である。
ＣＥＣ規格にデフォルトで用意されている＜Tuner Control＞機能は、別の機器のチューナに対してチャンネルのＵＰ／ＤＯＷＮ（Step increment/decrement）機能、状態通知機能、入力切替機能等を含む。＜Tuner Control＞機能を利用する場合、ソース機器はシンク機器へＣＥＣコマンドを送信し、制御を終了する。しかし、録画再生装置１は、接続相手の機器が自身と同じ＜Vendor Specific Commands＞機能を有する場合、例えば１チャンネルから１２チャンネルへのチャンネル切替のように、別の機器のチューナに対して複数チャンネルを飛び越したダイレクトなチャンネル切替操作を行う。かかる場合、機器間連携の信頼性を向上させるため、録画再生装置１はコマンド送信に対応するコマンド受領の返信を受け付けた場合に、＜Vendor Specific Commands＞に係るコマンドがＨＤＭＩ接続機器の間で正常に機能していることを逐一確認する。なお、以下では応答信号の送受信について、その説明を省略する。
【００５９】
図４は、録画再生装置１の動作モード及びテレビ受信装置における入力ソースの切り替えの一例に関するタイミングチャートである。図４の左から右へ向かって時間は経過する。
録画再生装置１は、録画停止モードから例えばチャンネル１の録画モードに移行する。この場合の録画は、予約録画であってもよいし、ダイレクト録画であってもよい。録画再生装置１は、録画中、チューナ部１６を使用している。録画再生装置１は、録画が終了した時、録画停止モードに戻る。
録画再生装置１が録画開始前の録画停止モードにある場合、テレビ受信装置２の入力ソースは録画再生装置１のチューナ部１６である。この時、テレビ受信装置１は、例えばチャンネル１の映像及び音声を出力しているものとする。
【００６０】
録画再生装置１が録画中の動作モードに移行した場合に、ユーザがリモコンＲを用いて例えばチャンネル２に切り替える選局操作を行ったとする。このとき、録画再生装置１は、テレビ受信装置２に対して入力ソースをチューナ部１６から内蔵チューナ２１に切り替えさせる。
【００６１】
録画再生装置１は、テレビ受信装置２の内蔵チューナ２１の選局をチャンネル２に設定し、チャンネル２の映像及び音声をテレビ受信装置２に出力させる。録画再生装置１の録画が終了し、チューナ部１６が占有状態ではなくなったとき、録画再生装置１はテレビ受信装置２の入力ソースを内蔵チューナ２１から録画再生装置１のチューナ部１６に切り替えさせる。このタイミングと同時に、録画再生装置１はチューナ部１６の選局をチャンネル１からチャンネル２に切り替える。そのため、テレビ受信装置２は、チャンネル２の映像及び音声を継続して出力する。
かかる場合、ユーザは引き続きチャンネル２の映像及び音声を視聴することができるため、テレビ受信装置２における入力ソースの切り替わりを意識することなく、リモコンＲを用いて録画再生装置１及びテレビ受信装置２を違和感なしに操作することができる。
【００６２】
例えば、録画予約が電子番組表を用いて行われる場合、予約録画終了のタイミングとテレビ受信装置２の入力ソースが切り替わるタイミングとは一致するため、ユーザは比較的違和感を抱くことがない。
また、ユーザは、録画再生装置１のチューナ部１６を用いた放送番組の視聴中に、電子番組表の情報に格納されている番組終了時刻までダイレクト録画を開始する場合がある。かかる場合も、ダイレクト録画終了のタイミングとテレビ受信装置２の入力ソースが切り替わるタイミングとは一致するため、ユーザは比較的違和感を抱くことがない。
【００６３】
図５は、制御部１１がテレビ受信装置２の入力ソースをチューナ部１６から内蔵チューナ２１に切り替える処理の手順の一例を示すフローチャートである。
制御部１１は、ユーザによる選局操作がされたか否か判定する（ステップＳ２０１）。制御部１１は、ユーザによる選局操作がされていないと判定した場合（ステップＳ２０１：ＮＯ）、ステップＳ２０１に処理を戻す。
【００６４】
制御部１１は、ユーザによる選局操作がされたと判定した場合（ステップＳ２０１：ＹＥＳ）、チューナ部１６が占有状態か否か判定する（ステップＳ２０２）。例えば、制御部１１は、録画再生装置１がチューナ部１６に基づく映像を録画中である場合、チューナ部１６は占有状態であると判定する。制御部１１は、チューナ部１６が占有状態でないと判定した場合（ステップＳ２０２：ＮＯ）、ユーザの選局情報に基づいてチューナ部１６に選局を行わせ（ステップＳ２０３）、処理を終了する。
【００６５】
制御部１１は、チューナ部１６が占有状態であると判定した場合（ステップＳ２０２：ＹＥＳ）、テレビ受信装置２の内蔵チューナ２１を制御できるか否か判定する（ステップＳ２０４）。ここで、制御部１１がテレビ受信装置２の内蔵チューナ２１を制御できない場合は、例えばテレビ受信装置２がＨＤＭＩ  ＣＥＣコマンドに代表される制御コマンドに対応していない場合を含む。また、制御部１１がテレビ受信装置２の内蔵チューナ２１を制御できない場合は、テレビ受信装置２の内蔵チューナ２１が視聴予約の番組視聴に使用されている場合を含む。仮に、テレビ受信装置２が録画機能を有するとき、制御部１１がテレビ受信装置２の内蔵チューナ２１を制御できない場合は、内蔵チューナ２１がその録画機能のために使用されている場合を含む。
【００６６】
制御部１１は、テレビ受信装置２の内蔵チューナ２１を制御できないと判定した場合（ステップＳ２０４：ＮＯ）、現在、選局操作はできない旨のメッセージ（選局に関する通知情報）をテレビ受信装置２の画面２３に表示し（ステップＳ２０５）、処理を終了する。制御部１１は、テレビ受信装置２の内蔵チューナ２１を制御できると判定した場合（ステップＳ２０４：ＹＥＳ）、テレビ受信装置２に対して、入力ソースをチューナ部１６から内蔵チューナ２１に切り替える（ステップＳ２０６）。具他的には、制御部１１は、テレビ受信装置２に入力ソースをチューナ部１６から内蔵チューナ２１に切り替えるＣＥＣコマンドを送信する。制御部１１は、テレビ受信装置２が備える内蔵チューナ２１の選局処理を実行し（ステップＳ２０７）、処理を終了する。
【００６７】
図６は、テレビ受信装置２が備える内蔵チューナ２１の選局処理の手順の一例を示したフローチャートである。図６は、図５におけるステップＳ２０７の処理の詳細を示している。図６の選局処理は、テレビ受信装置２が＜Vendor Specific Commands＞に対応している場合と対応していない場合とに場合分けして処理を実行する。そこで、既に概説した＜Vendor Specific Commands＞について、以下により詳細に説明する。
【００６８】
テレビ受信装置２がＨＤＭＩ  ＣＥＣコマンドに代表される制御コマンドに対応している場合であっても、＜Vendor Specific Commands＞に対応している場合と対応していない場合に分けられる。テレビ受信装置２が＜Vendor Specific Commands＞に対応していない場合、録画再生装置１は＜Tuner Control＞のコマンドを使用して、テレビ受信装置２の内蔵チューナ２１の選局処理を実行する。例えば、チャンネル１からチャンネル３に切り替える場合、録画再生装置１は、チャンネルＵＰのコマンド転送を２回繰り返す。一方、テレビ受信装置２が＜Vendor Specific Commands＞に対応している場合、録画再生装置１は＜Vendor Specific Commands＞のコマンドを使用して、テレビ受信装置２の内蔵チューナ２１の選局処理を実行する。例えば、チャンネル１からチャンネル３に切り替える場合、録画再生装置１は、チャンネル３に切り替えるコマンド転送を１回行う。テレビ受信装置２は、＜Vendor Specific Commands＞に対応している場合、内蔵チューナ２１の選局処理を効率よく実行することができる。そこで、図６の選局処理はテレビ受信装置２が＜Vendor Specific Commands＞に対応しているか否かを判定する処理から始まる。
【００６９】
制御部１１は、テレビ受信装置２が自身に規定されている＜Vendor Specific Commands＞に対応しているか否か判定する（ステップＳ２０７１）。＜Vendor Specific Commands＞はベンダー毎に異なる規定が定められているので、制御部１１は例えば自身のＶｅｎｄｏｒ  ＩＤと接続機器のＶｅｎｄｏｒ  ＩＤとが一致するか否かに基づいて、ステップＳ２０７１の判定処理を実行する。制御部１１は、テレビ受信装置２が自身に規定されている＜Vendor Specific Commands＞に対応していると判定した場合（ステップＳ２０７１：ＹＥＳ）、テレビ受信装置２に＜Vendor Specific Commands＞の選局コマンドを送信し（ステップＳ２０７２）、処理を終了する。制御部１１は、テレビ受信装置２が自身に規定されている＜Vendor Specific Commands＞に対応していないと判定した場合（ステップＳ２０７１：ＮＯ）、テレビ受信装置２に＜Tuner Control＞の選局コマンドを必要な回数送信し（ステップＳ２０７３）、処理を終了する。
【００７０】
図５では、録画再生装置１の動作モードが録画中でなくなった場合、直ちにテレビ受信装置２の入力ソースを内蔵チューナ２１から録画再生装置１のチューナ部１６に切り替えた。しかし、番組放送の途中で直ちにテレビ受信装置２の入力ソースが内蔵チューナ２１からチューナ部１６に切り替わる場合、ユーザは視聴している映像又は音声に対して違和感を抱くことがある。あるいは、録画が短時間の間に繰り返される場合、録画が終了するたびにテレビ受信装置２の入力ソースを内蔵チューナ２１からチューナ部１６に切り替えるとき、ユーザは視聴している映像又は音声に対して違和感を抱くことがある。この違和感が生じる原因として、以下の事例がある。
【００７１】
テレビ受信装置２と録画再生装置１とで映像の出力設定が異なる場合、画面２３における映像の表示サイズ、アスペクト比が変化することがある。あるいは、テレビ受信装置２の機種により、自動的に映像をズームインし、ズームインした映像を画面２３いっぱいに表示する設定がある。かかる場合、テレビ受信装置２の入力ソースが内蔵チューナ２１からチューナ部１６に切り替わるときに、タイムラグ又は映像の途切れが発生する。更には、ユーザにとって意図しない黒帯が画面２３に表示されてしまう場合もある。また、例えばテレビ受信装置２は内蔵チューナ２１からの映像を１０８０ｐで表示しており、録画再生装置１からの映像を７２０ｐで表示している場合には、テレビ受信装置２の入力ソースを切り替えたとき、映像の解像度が変化する。
【００７２】
テレビ受信装置２と録画再生装置１とで音声設定が異なる場合、音声ソースの違いにより、スピーカから出力される音質が変化する。ここでの異なる音声設定は、例えば、音声符号化方式、ビットレート、音声チャンネル数、サラウンドのオン／オフ、サラウンドモード等である。
【００７３】
テレビ受信装置２の入力ソースを内蔵チューナ２１から録画再生装置１のチューナ部１６に切り替えた際に、ユーザが映像又は音声に対して感じる上記の違和感を回避する方法として、いくつかの手法を以下に開示する。なお、以下の手法は単独で利用されてもよいし、組み合わせて利用されてもよいことは、言うまでもない。
【００７４】
図７は、録画再生装置１の動作モード及びテレビ受信装置２における入力ソースの切り替えの一例に関するタイミングチャートである。図７の左から右へ向かって時間は経過する。図７では、録画再生装置１は、間欠的に繰り返される最後の予約録画が終了した場合、テレビ受信装置２の入力ソースを内蔵チューナ２１からチューナ部１６に切り替える。
【００７５】
１つの録画が終了した後、短時間（例えば５分）の間隔で間欠的に予約録画が開始される場合、そのたびにテレビ受信装置２の入力ソースを切り替えることは、ユーザに違和感を与える。そこで、制御部１１は、予約管理部１１ｂから録画予約情報を取得し、所定時間より短い時間間隔で録画予約が間欠的に設定されているか否か判定する。ここで、所定時間より短い時間間隔で間欠的に繰り返す録画予約は、単一ではなく、群をなしているので録画予約群ともいえる。制御部１１は、所定時間より短い時間間隔で録画予約が間欠的に設定されていると判定した場合、最後の録画予約に対応する予約録画の終了後に、テレビ受信装置２の入力ソースを内蔵チューナ２１から録画再生装置１のチューナ部１６に切り替える。これにより、テレビ受信装置２の入力ソース切り替えをユーザが認知する確率を下げることができる。
【００７６】
図７の例では、１つの予約録画終了後に短時間間隔で繰り返す予約録画が１つである場合を示している。しかし、短時間間隔で繰り返す予約録画が複数設定されている場合には、最後の予約録画終了後に、録画再生装置１はテレビ受信装置２の入力ソースを内蔵チューナ２１から録画再生装置１のチューナ部１６に切り替える。
【００７７】
図８は、録画再生装置１の動作モード及びテレビ受信装置２における入力ソースの切り替えの一例に関するタイミングチャートである。図８の左から右へ向かって時間は経過する。図８では、録画再生装置１は、録画終了後かつ電子番組表から抽出した番組終了時間（放送中の番組の終了時間）に、テレビ受信装置２の入力ソースを内蔵チューナ２１からチューナ部１６に切り替える。
【００７８】
録画再生装置１の動作モードが最初録画停止モードにあるとき、ユーザは録画再生装置１のチューナ部１６を使用し、例えばチャンネル１の映像及び音声を視聴している。録画再生装置１は、例えばチャンネル１の映像及び音声について予約録画又はダイレクト録画を開始する。録画再生装置１が録画中の動作モードにあるとき、ユーザはリモコンＲを操作して、例えばチャンネル１からチャンネル２に切り替える操作をする。録画再生装置１は、テレビ受信装置２の入力ソースをチューナ部１６からテレビ受信装置２の内蔵チューナ２１に切り替える。また、録画再生装置１は、テレビ受信装置２の内蔵チューナ２１が選局するチャンネルをチャンネル２に切り替える。
【００７９】
録画再生装置１は、録画を終了し、録画停止の動作モードに移行しても、テレビ受信装置２の入力ソースを内蔵チューナ２１からチューナ部１６には切り替えない。録画再生装置１は、番組情報管理部１１ａから取得した電子番組表に基づき、現在放送しているチャンネル２の放送番組の終了時間を抽出する。録画再生装置１は、抽出したチャンネル２の番組終了時間にテレビ受信装置２の入力ソースを内蔵チューナ２１からチューナ部１６に切り替える。また、録画再生装置１は、チューナ部１６が選局するチャンネルをチャンネル１からチャンネル２に切り替える。
なお、チューナ部１６が選局するチャンネルを切り替えるタイミングは、チューナ部１６が占有状態でなくなった時点（例えば、録画停止の動作モードになった時点）から、電子番組表に基づくチャンネル２の番組終了時間までの間であれば、いつでもよい。
【００８０】
テレビ受信装置２は、入力ソースの切り替え前後において、チャンネル２の映像及び音声を継続して出力する。また、テレビ受信装置２における入力ソースの切り替えは、映像コンテンツが切り替わる番組の放送終了時に行われる。そのため、録画再生装置１は映像及び音声の視聴に関してユーザに違和感を与えない。また、テレビ受信装置２の入力ソースの切り替え前後において操作パネルは変化しないため、ユーザは録画再生装置１の操作感を持続して、録画再生装置１及びテレビ受信装置２を使用することができる。
【００８１】
図９は、テレビ受信装置２の入力ソースを内蔵チューナ２１から録画再生装置１のチューナ部１６に切り替える処理の手順の一例を示すフローチャートである。
制御部１１は、チューナ部１６が占有状態か否か判定する（ステップＳ３０１）。制御部１１は、チューナ部１６が占有状態であると判定した場合（ステップＳ３０１：ＹＥＳ）、ステップＳ３０１に処理を戻す。制御部１１は、チューナ部１６が占有状態でないと判定した場合（ステップＳ３０１：ＮＯ）、テレビ受信装置２が出力している映像及び番組に係る番組の放送終了時間を番組情報管理部１１ａから取得する（ステップＳ３０２）。制御部１１は、ステップＳ３０２で取得した放送終了時間及びタイマ１４の計時に基づいて、テレビ受信装置２が出力している映像及び音声に係る番組が終了したか否か判定する（ステップＳ３０３）。
【００８２】
制御部１１は、テレビ受信装置２が出力している映像及び音声に係る番組が終了していないと判定した場合（ステップＳ３０３：ＮＯ）、ステップＳ３０３に処理を戻す。制御部１１は、テレビ受信装置２が出力している映像及び音声に係る番組が終了したと判定した場合（ステップＳ３０３：ＹＥＳ）、テレビ受信装置１の入力ソースをテレビ受信装置１の内蔵チューナ２１から録画再生装置１のチューナ部１６に切り替える（ステップＳ３０４）。すなわち、ステップＳ３０４において、制御部１１は、テレビ受信装置２に対して、入力ソースを内蔵チューナ２１からチューナ部１６に切り替えるＣＥＣコマンドを送信し、処理を終了する。
なお、制御部１１は、ステップＳ３０４の処理を実行する前に又はステップＳ３０４の処理を実行する時と同時に、テレビ受信装置２の内蔵チューナ２１が選局しているチャンネルと同じチャンネルにチューナ部１６が選局するチャンネルを設定する。
【００８３】
図１０は、録画再生装置１の動作モード及びテレビ受信装置２における入力ソースの切り替えの一例に関するタイミングチャートである。図１０の左から右へ向かって時間は経過する。図１０では、録画再生装置１は、録画終了後かつ所定時間経過後に、テレビ受信装置２の入力ソースを内蔵チューナ２１からチューナ部１６に切り替える。
【００８４】
録画再生装置１は、録画終了直後にＨＤ１９ｄ、ディスク１ｄ等の記録媒体に対して録画データファイルを閉じる処理を行う。また、録画再生装置１は、録画がダビングによる録画である場合、ダビング元のファイル消去処理を行う。このような録画に伴う終了処理により、録画再生装置１の制御部１１には高い負荷がかかる場合がある。そのため、機種によって、録画に伴う終了処理が終わるまで、録画、再生、追加予約録画等を含む機器の設定を受け付けない録画再生装置がある。
そこで、録画再生装置１は、録画終了後直ちにテレビ受信装置２の入力ソースを内蔵チューナ２１からチューナ部１６には切り替えない。録画再生装置１は、録画に伴う終了処理に必要な所定時間経過後にテレビ受信装置２の入力ソースを内蔵チューナ２１からチューナ部１６には切り替える。ここでの所定時間は、例えば数分である。
【００８５】
録画再生装置１が録画終了後から待機する上記の所定時間は、予め設定されていてもよいし、ユーザが操作パネル等のユーザインタフェースを介して変更できるようにしてもよい。あるいは、テレビ受信装置２の入力ソースを内蔵チューナ２１からチューナ部１６に切り替えるタイミングは、録画終了後からの所定時間経過後でなくてもよい。例えば、制御部１１は、ＣＰＵの使用率、ＲＡＭ１３の使用率等が所定割合を下回ったか否かを判定し、所定割合を下回ったと判定した場合、テレビ受信装置２の入力ソースを内蔵チューナ２１からチューナ部１６に切り替えてもよい。
【００８６】
録画再生装置１の制御部１１に高い負荷がかかった状態で、制御部１１がテレビ受信装置２の入力ソースを切り替える場合、操作対象機器の切り替わりがスムーズに行われず、ユーザが違和感を抱く可能性がある。しかし、録画に伴う終了処理後に、テレビ受信装置２の入力ソースを内蔵チューナ２１からチューナ部１６に切り替える場合、ユーザは操作対象機器の切り替わりに気づきにくい。
また、録画に伴う終了処理後に、テレビ受信装置２の入力ソースを内蔵チューナ２１からチューナ部１６に切り替える場合、ユーザは録画再生装置１の操作に制約を受けることがなくなる。更に、制御部１１に過剰な負担がかからないため、録画再生装置１に不具合が生じる確率を低減することができる。
【００８７】
録画再生装置１がテレビ受信装置２の入力ソースを内蔵チューナ２１からチューナ部１６に切り替えるまでの所定時間を計時し始めるタイミングは、一つの番組録画終了時ではなく、複数の番組の放送時間に基づいて決定されてもよい。
例えば、夕方の時間帯に５分程度の間隔で番組が変わる放送プログラムが組まれている場合、そのような複数の短時間番組のうち、少なくとも１つ以上が録画される可能性がある。かかる場合、各短時間番組の録画が終了するたびに、所定時間経過後にテレビ受信装置２の入力ソースが切り替わることになる。また、上記所定時間を設けない図８の事例の場合にも、同様に各短時間番組の録画が終了するたびに、テレビ受信装置２の入力ソースが切り替わることになる。しかし、ユーザに操作対象機器の切り替わりを極力意識させないようにするためには、テレビ受信装置２の入力ソースの切り替え頻度は少ない方がよい。
【００８８】
そこで、短時間番組が連続する夕方のような時間帯が経過してから、あるいは複数の短時間番組のうち、最後の短時間番組が終了してから、録画再生装置１はテレビ受信装置２の入力ソースを内蔵チューナ２１からチューナ部１６に切り替えてもよい。かかる場合、制御部１１は、番組情報管理部１１ａから短時間番組が連続するチャンネル及び時間帯を取得する。あるいは、短時間番組が連続するチャンネル及び時間帯をユーザが操作パネル等を介して予めＨＤ１９ｄ等に記録しておき、制御部１１はユーザが設定したチャンネル及び時間帯を参照してもよい。
【００８９】
図１１は、録画再生装置１の動作モード及びテレビ受信装置２における入力ソースの切り替えの一例に関するタイミングチャートである。図１１の左から右へ向かって時間は経過する。図１１では、録画再生装置１は、録画終了後、かつテレビ受信装置２が出力中のコンテンツが番組からＣＭに変わったタイミング又はそのＣＭ終了後のタイミングで、テレビ受信装置２の入力ソースを内蔵チューナ２１からチューナ部１６に切り替える。
【００９０】
コンテンツを鑑賞するユーザにとって、番組とＣＭとの境には映像又は音声に連続性がない。そのため、番組からＣＭに変わるタイミング又はＣＭから番組に変わるタイミングで、テレビ受信装置２の入力ソースを内蔵チューナ２１からチューナ部１６に切り替えた場合、ユーザは違和感を抱かない。
【００９１】
録画再生装置１は、動作モードが例えばチャンネル１の録画中である場合、チューナ部１６を使用している。ユーザがリモコンＲを用いてチャンネルを１から例えば２に変更したとする。録画再生装置１は、テレビ受信装置２の入力ソースをチューナ部１６から内蔵チューナ２１に切り替え、内蔵チューナ２１が選局するチャンネルを２に設定する。録画再生装置１の動作モードは、録画が終了した時、録画停止モードに戻る。録画再生装置１の動作モードが録画停止モードに戻る前後に渡り、テレビ受信装置２は例えばチャンネル２の映像及び音声を継続して出力する。録画再生装置１は、ＣＭ検出部１１ｃの判定に基づき、チャンネル２のＣＭ開始又はＣＭ終了のタイミングでテレビ受信装置２の入力ソースを内蔵チューナ２１からチューナ部１６に切り替える。
【００９２】
図１２は、テレビ受信装置２の入力ソースを内蔵チューナ２１から録画再生装置１のチューナ部１６に切り替える処理の手順の一例を示すフローチャートである。なお、図１２に示す処理の手順には、ＣＭ検出に基づくテレビ受信装置２の入力ソースの切り替えの前に、図９に示した電子番組表に基づく番組終了判定処理が付加されている。なお、ＣＭ検出に基づくテレビ受信装置２の入力ソースの切り替えに、電子番組表に基づく番組終了判定処理を組み込んでもよいし、組み込まなくてもよい。
【００９３】
制御部１１は、チューナ部１６が占有状態か否か判定する（ステップＳ４０１）。制御部１１は、チューナ部１６が占有状態であると判定した場合（ステップＳ４０１：ＹＥＳ）、ステップＳ４０１に処理を戻す。制御部１１は、チューナ部１６が占有状態でないと判定した場合（ステップＳ４０１：ＮＯ）、テレビ受信装置２が出力している映像及び番組に係る番組終了時間を番組情報管理部１１ａから取得する（ステップＳ４０２）。制御部１１は、ステップＳ４０２で取得した番組終了時間及びタイマ１４の計時に基づいて、テレビ受信装置２が出力している映像及び音声に係る番組が終了したか否か判定する（ステップＳ４０３）。
【００９４】
制御部１１は、テレビ受信装置２が出力している映像及び音声に係る番組が終了していないと判定した場合（ステップＳ４０３：ＮＯ）、ステップＳ４０３に処理を戻す。制御部１１は、テレビ受信装置２が出力している映像及び音声に係る番組が終了したと判定した場合（ステップＳ４０３：ＹＥＳ）、テレビ受信装置２の入力ソースに該当するチャンネルの放送データからＣＭの開始又は終了を検出したか否か判定する（ステップＳ４０４）。制御部１１は、ＣＭの開始又は終了を検出していないと判定した場合（ステップＳ４０４：ＮＯ）、ステップＳ４０４に処理を戻す。
【００９５】
制御部１１は、ＣＭの開始又は終了を検出したと判定した場合（ステップＳ４０４：ＹＥＳ）、テレビ受信装置１の入力ソースをテレビ受信装置１の内蔵チューナ２１から録画再生装置１のチューナ部１６に切り替える（ステップＳ４０５）。すなわち、ステップＳ４０５において、制御部１１は、テレビ受信装置２に対して、入力ソースを内蔵チューナ２１からチューナ部１６に切り替えるＣＥＣコマンドを送信し（ステップＳ４０５）、処理を終了する。
なお、制御部１１は、ステップＳ４０５の処理を実行する前に又はステップＳ４０５の処理を実行する時と同時に、テレビ受信装置２の内蔵チューナ２１が選局しているチャンネルと同じチャンネルにチューナ部１６が選局するチャンネルを設定する。
【００９６】
図１３は、録画再生装置１の動作モード、テレビ受信装置２の視聴予約設定及びテレビ受信装置２における入力ソースの切り替えの一例に関するタイミングチャートである。図１３の左から右へ向かって時間は経過する。図１３では、録画再生装置１は、録画終了後の所定時間内にテレビ受信装置２に視聴予約が設定されている場合、視聴予約終了後に、テレビ受信装置２の入力ソースを内蔵チューナ２１からチューナ部１６に切り替える。
【００９７】
ユーザは視聴忘れのないように視聴予約を設定するため、不用意にテレビ受信装置２の入力ソースを切り替えた場合、ユーザはチャンネルを変更する可能性が高くなる。かかる場合、ユーザが視聴予約番組を見逃す確率が高くなる。そこで、制御部１１はテレビ受信装置２にＣＥＣコマンドを送信し、視聴予約情報をテレビ受信装置２から取得する。あるいは、制御部１１は、予約管理部１１ｂから予め記憶しておいたテレビ受信装置２における視聴予約情報を読み出し、読み出した視聴予約情報を取得する。
【００９８】
制御部１１は、録画終了後から所定時間以内にテレビ受信装置２に視聴予約が設定されているか否か判定する。制御部１１は、録画終了後から所定時間以内にテレビ受信装置２に視聴予約が設定されていると判定した場合、視聴予約終了後にテレビ受信装置２の入力ソースを内蔵チューナ２１からチューナ部１６に切り替える。これにより、テレビ受信装置２は視聴予約の番組映像を優先して表示することができる。
また、制御部１１は、視聴予約の開始から終了までの間、テレビ受信装置２に対してチューナ制御コマンドを発行しない制御をしてもよい。
【００９９】
録画再生装置１は、動作モードが例えばチャンネル１の録画中である場合、チューナ部１６を使用している。ユーザがリモコンＲを用いてチャンネルを１から例えば２に変更したとする。録画再生装置１は、テレビ受信装置２の入力ソースをチューナ部１６から内蔵チューナ２１に切り替え、内蔵チューナ２１が選局するチャンネルを２に設定する。録画再生装置１の動作モードが録画停止に移行しても、テレビ受信装置２の入力ソースはチューナ部１６には切り替わらない。視聴予約が開始した時、テレビ受信装置２は内蔵チューナ２１が選局するチャンネルを視聴予約のチャンネルに切り替える。視聴予約が終了した時、録画再生装置１は、テレビ受信装置２の入力ソースを内蔵チューナ２１からチューナ部１６に切り替える。録画再生装置１は、チューナ部１６が選局するチャンネルを視聴予約が開始される前に設定されていたチャンネル（例えばチャンネル２）に切り替える。なお、録画再生装置１は、視聴予約が終了した時、チューナ部１６が選局するチャンネルを視聴予約で設定されたチャンネルに切り替えてもよい。
【０１００】
録画再生装置１によれば、操作対象機器の切り替わりをユーザに意識させることなく、かつユーザが違和感なく選局操作をすることができる。
チューナを内蔵する録画再生装置とテレビ受信装置とが接続されたＡＶ環境で、録画再生装置を頻繁に使用するユーザは、録画再生装置のリモコンを使用する機会が多い。そのようなユーザがテレビ番組を視聴する場合、録画再生装置のチューナを使用することがデフォルトとなる。録画再生装置とテレビ受信装置との間でテレビ番組を視聴するためのチューナをいちいち切り替えることは面倒であるし、テレビ受信装置のリモコンを用いた録画再生装置の操作性には応答速度、使い勝手等に不都合な部分があるからである。
一方、録画再生装置がテレビ番組の録画動作中である場合、録画再生装置のチューナが選局するチャンネルを切り替えることができないという不便さがある。そこで、録画再生装置１が録画のために自身のチューナ部１６を使用している間は、テレビ受信装置２の内蔵チューナ２１に切り替えることにより、自由なチャンネル操作によるテレビ番組の視聴が可能となる。
【０１０１】
録画再生装置を頻繁に使用するユーザにとって、録画再生装置の録画が終わり、録画再生装置のチューナが解放された場合、テレビ番組を視聴するためのチューナは録画再生装置のチューナに切り替わることが望ましい。しかし、テレビ番組を視聴するためのチューナがテレビ受信装置のチューナから録画再生装置のチューナへ切り替わった場合、映像のアスペクト比、音声の音質等が変化し、ユーザは違和感を抱く。
しかし、録画再生装置１によれば、視聴している番組の終了時、ＣＭの開始又は終了時に、テレビ受信装置２の入力ソースを内蔵チューナ２１から録画再生装置１のチューナ部１６に切り替える。このタイミングはテレビ受信装置２が表示する映像コンテンツが切り替わるタイミングと一致する。そのため、録画再生装置１は、テレビ番組を視聴するためのチューナの切り替わりをユーザに意識させることなく、シームレスなＡＶ環境を提供することができる。
【０１０２】
図１に示した録画再生装置１とテレビ受信装置２との接続構成以外に、ＡＶアンプ（中継機器）が接続構成機器に追加されてもよい。
図１４及び図１５は、録画再生装置１、テレビ受信装置２及びＡＶアンプ４の接続構成の一例を示す説明図である。図１４は、テレビ受信装置２を中心にして、テレビ受信装置２に録画再生装置１及びＡＶアンプ４が並列接続されている例を示している。図１５は、録画再生装置１とテレビ受信装置２との間にＡＶアンプ４が接続されている例を示している。
なお、ＡＶアンプ４は、ＨＤＭＩを用いることにより、機器間接続できる中継機器の一例である。録画再生装置１とテレビ受信装置２との間には、ＡＶアンプ４の他に、他の録画再生装置、ネットワーク接続機器等が接続構成機器として追加されてもよい。
【０１０３】
ＡＶアンプ４は、例えばシアターラックであり、図示しないサラウンドスピーカを備えている。図１４の例では、テレビ受信装置２のスピーカからの音声はミュートされ、ＡＶアンプ４のサラウンドスピーカから音声が出力される。テレビ受信装置２の入力ソースを録画再生装置１のチューナ部１６及びテレビ受信装置２の内蔵チューナ２１の間で切り替える制御は、図１の場合と同じである。
【０１０４】
図１５の例では、ＡＶアンプ４はＨＤＭＩ接続の中継機器であり、いわゆるＨＤＭＩリピータである。テレビ受信装置１の入力ソースが録画再生装置１のチューナ部１６である場合、音声はＡＶアンプ４のサラウンドスピーカから出力され、テレビ受信装置２のスピーカはミュートされる。他方、テレビ受信装置１の入力ソースが内蔵チューナ２１である場合、音声はテレビ受信装置２のスピーカから出力され、ＡＶアンプ４のサラウンドスピーカからは出力されない。そのため、テレビ受信装置１の入力ソースの切り替えに伴い、音場感が変わり、ユーザは違和感を抱く場合がある。
【０１０５】
そこで、図４に示すように、録画再生装置１の録画が終了した時点で直ちにテレビ受信装置２の入力ソースを直ちに録画再生装置１のチューナ部１６に切り替えることにより、できるだけ短時間で当初の音場感に戻すことが可能となる。その結果、ユーザの抱く違和感が抑えられる。また、番組情報管理部１１ａ又はＣＭ検出部１１ｃを利用し、コンテンツの適当な切れ目で、テレビ受信装置２の入力ソースを録画再生装置１のチューナ部１６に切り替えることにより、ユーザの違和感を小さくすることができる。
【０１０６】
図１５の例において、テレビ受信装置２及びＡＶアンプ４は、ＨＤＭＩ規格のＡＲＣ（Audio Return Channel）に対応していてもよい。ＡＲＣはＳＰＤＩＦ（Sony Philips Digital InterFace）相当のデジタル音声信号をＨＤＭＩ受信側（シンク側）とＨＤＭＩ送信側（ソース側）との間で双方向に送信する機能である。テレビ受信装置２の入力ソースが録画再生装置１のチューナ部１６である場合、音声はＡＶアンプ４のサラウンドスピーカから出力され、テレビ受信装置２のスピーカはミュートされる。他方、テレビ受信装置１の入力ソースが内蔵チューナ２１である場合、テレビ受信装置２のスピーカはミュートされ、シンク機器であるテレビ受信装置１からソース側のＡＶアンプ４へ音声信号を送信することが可能である。そのため、テレビ受信装置１の入力ソースの切り替え前後に渡り、音声は常にＡＶアンプ４のサラウンドスピーカから出力される。従って、ユーザは、テレビ受信装置２の入力ソースの切り替え前後を通して、音声に関して違和感を抱かない。
【０１０７】
なお、ＡＶアンプ４は、チューナを内蔵していてもよい。かかる場合、録画再生装置１のチューナ部１６又はテレビ受信装置２の内蔵チューナ２１の代替として、ＡＶアンプ４のチューナが使用されてもよい。制御部１１は、テレビ受信装置２を介して（図１４の場合）又は直接に（図１５の場合）、ＡＶアンプ４のチューナを操作することにより、テレビ受信装置２の入力ソースの切り替えについて上述と同様の制御を実行することができる。
【０１０８】
実施の形態２
実施の形態２は、録画再生装置１が録画機能を有するテレビ受信装置とＨＤＭＩケーブル３により接続されている形態に関する。
【０１０９】
図１６は、録画再生装置１とテレビ受信装置２００との接続構成の一例を示す説明図である。テレビ受信装置２００の背面側には、ディスクドライブを有する録画再生装置（録画手段）２０１が設置されている。録画再生装置２０１は、テレビ受信装置２００の内蔵チューナ２１が選局するチャンネルの番組を外部のディスク１ｄにダイレクト録画又は予約録画することができる。録画再生装置２０１が予約録画するための録画予約情報は、受付部２２により図示しないリモコンから受け付けられ、図示しないテレビ受信装置２００の記録手段に記録される。録画予約情報は、例えば予約番号、録画チャンネル、録画開始日時及び録画終了日時、番組タイトル等を含む。テレビ受信装置２００の構成は、録画再生装置２０１を除き、テレビ受信装置２の構成と同じである。
【０１１０】
録画再生装置１の制御部１１は、ＨＤＭＩケーブル３を介してテレビ受信装置２００と通信し、録画再生装置２０１が予約録画するための録画予約情報を取得し、予約管理部１１ｂに記録する。
つまり、録画再生装置１は、自らの録画予約情報と、テレビ受信装置２００が備える録画再生装置２０１の録画予約情報とを予約管理部１１ｂに保持している。
【０１１１】
チューナ部１６が録画のために使用されている間、代替チューナとしてテレビ受信装置２００の内蔵チューナ２１が使用される。しかし、テレビ受信装置２００の内蔵チューナ２１が録画再生装置２０１の録画に使用されている場合、代替チューナはない。そこで、録画再生装置１は予約管理部１１ｂに記録された録画予約情報を参照する。そして、録画再生装置１は、チューナ部１６及びテレビ受信装置２００の内蔵チューナ２１の両者が録画に使用されている場合、例えば「現在、ご希望のチャンネルは視聴できません」というメッセージ（選局に関する通知情報）をテレビ受信装置２００の画面２３に表示する。あるいは、録画再生装置１は、「現在、ご希望のチャンネルに切り替えることはできません」というメッセージ（選局に関する通知情報）をテレビ受信装置２００の画面２３に表示する。
録画再生装置１は、同様のメッセージに対応する音声をテレビ受信装置２００のスピーカから出力してもよい。
【０１１２】
なお、録画再生装置１は、内蔵チューナ２１が占有状態にあるか否かについて問い合わせるＣＥＣコマンドをテレビ受信装置２００に送信し、テレビ受信装置２００からの応答結果に基づいて、内臓チューナ２１が録画に使用されているか否かを判定してもよい。あるいは、録画再生装置１は、録画再生装置２０１が録画中であるか否かについて問い合わせるＣＥＣコマンドをテレビ受信装置２００に送信し、テレビ受信装置２００からの応答結果に基づいて、内臓チューナ２１が録画に使用されているか否かを判定してもよい。
【０１１３】
図１７及び図１８は、録画再生装置１の動作モード、テレビ受信装置２００の録画予約設定及びテレビ受信装置２００における入力ソースの切り替えの一例に関するタイミングチャートである。
最初、ユーザはテレビ受信装置２００の入力ソースとして録画再生装置１のチューナ部１６を選択し、例えばチャンネル１を視聴している。その後、ダイレクト録画又は予約録画により、例えばチャンネル１の番組に関して録画再生装置１の録画が開始される。ユーザがリモコンＲを使用し、チャンネルを例えば１から２に切り替えた場合、制御部１１はテレビ受信装置２００の入力ソースをチューナ部１６からテレビ受信装置２００の内蔵チューナ２１に切り替える。また、制御部１１は、テレビ受信装置２００の内蔵チューナ２１が選局するチャンネルを２に設定する。
【０１１４】
テレビ受信装置２００の録画再生装置２０１は、予約録画を開始する。制御部１１は、予約管理部１１ｂを参照し、チューナ部１６及びテレビ受信装置２００の内蔵チューナ２１が録画に使用されている間、例えば「現在、ご希望のチャンネルは視聴できません」というメッセージ（選局に関する通知情報）をテレビ受信装置２００の画面２３に表示する。このメッセージは、録画再生装置２０１の予約録画が開始された時だけに表示されてもよいし、チャンネル切替が可能になるまでの間、継続して表示されてもよい。また、制御部１１は、チャンネル切替が可能になるまでの時間を算出し、例えば「○○分後にご希望のチャンネルの視聴を再開することができます」というメッセージ（選局に関する通知情報）をテレビ受信装置２００の画面２３に表示してもよい。これにより、ユーザはチャンネル切替が可能になるまでの時間を、その後の行動予定を決める材料にすることができる。
なお、チャンネル切替が可能になるまでの間、テレビ受信装置２００の画面２３には、録画再生装置２０１の録画予約に関するチャンネルの映像が表示される。
【０１１５】
制御部１１は、予約管理部１１ｂの録画予約情報を参照し、録画再生装置１の予約録画が終了したか否かに基づいて、チューナ部１６が受信するチャンネルを選局できるか否か判定する。なお、録画再生装置１の録画が電子番組表を利用したダイレクト録画である場合、制御部１１は、番組情報管理部１１ａに記録された電子番組表を参照し、上記の判定をしてもよい。制御部１１は、予約管理部１１ｂの録画予約情報に含まれている、録画再生装置２０１の録画予約情報を参照する。制御部１１は、録画再生装置２０１の録画予約情報から、録画再生装置２０１の予約録画が終了したか否かに基づいて、内蔵チューナ部２１が受信するチャンネルを選局できるか否か判定する。制御部１１は、上述のチューナ部１６に係る選局判定と内蔵チューナ部２１に係る選局判定とのうち、より早期に選局使用可能なチューナ判定結果に基づいて、テレビ受信装置２００の入力ソースとして、チューナ部１６又は内蔵チューナ２１を選択することを決定する。チューナ判定結果は、チューナ部１６又は内蔵チューナ２１のうち、より早期に選局可能となるチューナに関する判定結果である。
すなわち、制御部１１は、テレビ受信装置２００の入力ソースとして、より早期に録画が終了した録画再生装置１、２０１に夫々対応するチューナ部１６又は内蔵チューナ２１を選択することを決定する。
【０１１６】
図１７の例では、録画再生装置１の方がより早期に録画を終了するため、制御部１１は録画再生装置１の録画が終了した時点で、テレビ受信装置２００の入力ソースを内蔵チューナ２１からチューナ部１６に切り替える。また制御部１１は、チューナ部１６が選局するチャンネルを例えばチャンネル２に設定する。
図１８の例では、テレビ受信装置２００の録画再生装置２０１の方がより早期に録画を終了するため、制御部１１はテレビ受信装置２００の入力ソースを内蔵チューナ２１のままに継続する。録画再生装置２０１の予約録画が終了した時点以降、ユーザは内蔵チューナ２１が受信するチャンネルを切り替えることが可能となる。制御部１１は、録画再生装置１の録画が終了した場合、テレビ受信装置２００の入力ソースを内蔵チューナ２１からチューナ部１６に切り替える。また、制御部１１は、チューナ部１６が選局するチャンネルを例えばチャンネル２に設定する。
【０１１７】
録画再生装置１によれば、チューナ部１６及びテレビ受信装置２００の内蔵チューナ２１がどちらも録画に使用されている場合、チャンネル切替ができない旨のメッセージをテレビ受信装置２００の画面２３に表示する。これにより、ユーザはＡＶ環境の現状を即座に把握することができる。また、録画再生装置１は、より早期に録画から解放されたチューナ部１６又は内蔵チューナ２１をテレビ受信装置２００の入力ソースに設定する。これにより、録画再生装置１はユーザが視聴を希望するチャンネルの映像を可能な限り早期に、またより長くテレビ受信装置２００の画面２３に表示することができる。
【０１１８】
本実施の形態２は以上の如きであり、その他は実施の形態１と同様であるので、対応する部分には同一の参照番号を付してその詳細な説明を省略する。
【０１１９】
実施の形態３
実施の形態３は、録画再生装置１が裏録画及びタイムシフト再生を行うことにより、ユーザが視聴を希望するチャンネルの映像を可能な限り長い間、テレビ受信装置２００の画面２３に表示する形態に関する。
実施の形態２と同様に、録画再生装置１は、録画再生装置２０１を有するテレビ受信装置２００とＨＤＭＩケーブル３により接続されている。
【０１２０】
チューナ部１６は、同時に２つの周波数帯域の放送信号を復調することができるダブルチューナである。チューナ部１６が有する１つのチューナは、録画又は外部のテレビ受信装置２００における番組の視聴に使用され、もう１つのチューナ（第二受信部）は裏録画に使用される。裏録画は、１つのチューナが番組の録画に使用されている場合、もう一つのチューナで他の番組を同時に録画する機能である。なおここでは、裏録画に使用されるチューナ部１６のチューナは、録画専用のチューナであり、テレビ受信装置２００における番組の視聴には使用できないものである。
【０１２１】
ＨＤＤ１９は、制御部１１から裏録画の指令を受けた場合、番組の録画処理を行いつつ、その録画データを指定時間経過後に録画の開始時点から再生する再生処理、いわゆるタイムシフト再生処理を実行することができる。
【０１２２】
図１９は、録画再生装置１の動作モード、テレビ受信装置２００の録画予約設定、テレビ受信装置２００における入力ソースの切り替え、裏録画及びタイムシフト再生の一例に関するタイミングチャートである。
最初、ユーザはテレビ受信装置２００の入力ソースとして録画再生装置１のチューナ部１６を選択し、例えばチャンネル１を視聴している。その後、ダイレクト録画又は予約録画により、例えばチューナ部１６が受信するチャンネル１の番組に関してディスクドライブ２０により録画が開始される。ユーザがリモコンＲを使用し、チャンネルを例えば１から２に切り替えた場合、制御部１１はテレビ受信装置２００の入力ソースをチューナ部１６からテレビ受信装置２００の内蔵チューナ２１に切り替える。また、制御部１１は、テレビ受信装置２００の内蔵チューナ２１が選局するチャンネルを２に設定する。
【０１２３】
テレビ受信装置２００の録画再生装置２０１は、予約録画を開始する。制御部１１は、予約管理部１１ｂを参照し、チューナ部１６及びテレビ受信装置２００の内蔵チューナ２１が録画に使用されている間、例えば「現在、ご希望のチャンネルは視聴できません」というメッセージ（選局に関する通知情報）をテレビ受信装置２００の画面２３に表示する。制御部１１は、ＨＤＤ１９に例えばチャンネル２について裏録画を開始させる。この裏録画は、少なくともチャンネル２の番組終了まで継続される。
なお、タイムシフト再生が開始されるまでの間、テレビ受信装置２００の画面２３には、録画再生装置２０１の録画予約に関するチャンネルの映像が表示される。
【０１２４】
制御部１１は、タイムシフト再生が可能な状態か否か判定する。制御部１１は、タイムシフト再生が可能な状態であると判定した場合、テレビ受信装置２００の入力ソースとして、録画再生装置１のＨＤＤ１９を選択し、ＨＤＤ１９にタイムシフト再生を開始させる。
【０１２５】
制御部１１は、ＨＤＤ１９にチャンネル２の番組終了までタイムシフト再生を実行させる。制御部１１は、タイムシフト再生が終了した場合、テレビ受信装置２００の入力ソースをチューナ部１６に切り替える。タイムシフト再生終了後のテレビ受信装置２００の入力ソースは、チューナ部１６のダブルチューナのうち、裏録画専用でないチューナである。制御部１１はチューナ部１６が選局するチャンネルを２に設定する。
【０１２６】
録画再生装置１によれば、チューナ部１６及び内蔵チューナ２１が録画に使用されており、所望のチャンネルの番組を視聴できない場合であっても、裏録画及びタイムシフト再生を行うことにより、視聴可能時間の欠落を回避することができる。すなわち、ユーザは、所望の選局操作（例えば図１９の例では、チャンネル２の選択）をした時点から以降の全ての放送映像を視聴することができる。
【０１２７】
上述では、録画再生装置１が裏録画機能及びタイムシフト再生機能を有していたが、テレビ受信装置２００の録画装置２０１が裏録画機能及びタイムシフト再生機能を有していてもよい。かかる場合、テレビ受信装置２００はダブルチューナを内蔵し、制御部１１はＣＥＣコマンドを利用して録画再生装置２０１に裏録画とタイムシフト再生とを実行させる。
【０１２８】
本実施の形態３は以上の如きであり、その他は実施の形態１と同様であるので、対応する部分には同一の参照番号を付してその詳細な説明を省略する。
【符号の説明】
【０１２９】
１          録画再生装置（録画装置）
１１        制御部（判定部、切替部、コンテンツ切替判定部、抽出部、番組終了抽出部、検出部、視聴予約判定部、選局判定部）
１１ｃ      ＣＭ検出部（検出部）
１５        受付部（予約受付部）
１６        チューナ部（受信部、第二受信部）
１８        通信部（送受信部）
１９        ＨＤＤ（録画部、第二録画部、再生部）
２０        ディスクドライブ（録画部）
２、２００  テレビ受信装置（外部の表示装置）
２０１      録画再生装置（録画手段）
２１        内蔵チューナ（受信手段）
２２        受付部（受付手段）
２３        画面（表示部）
３          ＨＤＭＩケーブル
４          ＡＶアンプ（中継機器）
１ｄ        ディスク（記録媒体）
１９ｄ      ＨＤ（記録媒体）
Ｒ          リモコン
【図１】
0005794847.tif 000002
【図２】
0005794847.tif 000003
【図３】
0005794847.tif 000004
【図４】
0005794847.tif 000005
【図５】
0005794847.tif 000006
【図６】
0005794847.tif 000007
【図７】
0005794847.tif 000008
【図８】
0005794847.tif 000009
【図９】
0005794847.tif 000010
【図１０】
0005794847.tif 000011
【図１１】
0005794847.tif 000012
【図１２】
0005794847.tif 000013
【図１３】
0005794847.tif 000014
【図１４】
0005794847.tif 000015
【図１５】
0005794847.tif 000016
【図１６】
0005794847.tif 000017
【図１７】
0005794847.tif 000018
【図１８】
0005794847.tif 000019
【図１９】
0005794847.tif 000020